(57)【要約】【課題】高速記録時において、記録信号の変化に伴い発生するインパルス成分の影響を受けることなく、ランドプリピット信号を正確に抽出すること。【解決手段】フィルタ３０ａが受光信号ＬＡＤ１に含まれるインパルス成分ＴＲを除去した受光信号ＬＡＤ２を生成し、フィルタ３０ｂが受光信号ＬＢＣ１に含まれるインパルス成分を除去した受光信号ＬＢＣ２を生成する。減算器５０が受光信号ＷＢＣを受光信号ＷＡＤから減算してラジアルプッシュプル信号ＷＰＰを生成する。コンパレータ６０が、インパルス成分が除去されたラジアルプッシュプル信号ＷＰＰと基準レベルＶＴとを比較してランドプリピットを検出する。【選択図】      図７
2005063474.tif 000002
【特許請求の範囲】
【請求項１】
記録トラックとランドプリピットが予め形成された記録媒体に、記録信号に応じた光ビームを照射すると共に前記ランドプリピットを検出するランドプリピット検出装置において、
前記記録トラックの方向に対応する分割線で少なくとも領域分割され、前記記録媒体に照射された光ビームの反射光を受光する第１および第２の受光素子と、
前記第１および第２の受光素子の出力に基づいてラジアルプッシュプル信号を生成する生成手段と、
前記ラジアルプッシュプル信号を所定の基準値と比較して、前記記録トラックにマーク部を形成する光ビームを照射する間の前記ランドプリピットを検出する検出手段と、
を備えるとともに、
前記第１および第２の受光素子と前記検出手段との間に、前記記録信号の変化に伴い発生するインパルス成分を減衰させるフィルタ手段と、
を備えることを特徴とするランドプリピット検出装置。
【請求項２】
前記ランドプリピット検出装置は、更に前記第１および第２の受光素子の各受光出力の振幅を所定の振幅に制御する第１および第２の振幅制御手段を備えることを特徴とする請求項１に記載のランドプリピット検出装置。
【請求項３】
前記フィルタ手段は、前記第１および第２の振幅制御手段の前段に設けられた第１および第２のフィルタであることを特徴とする請求項２に記載のランドプリピット検出装置。
【請求項４】
前記第１および第２の振幅制御手段は、前記記録信号の変化に伴いその入力に含まれるインパルス成分を減衰させるフィルタ部を備え、
前記フィルタ手段は、前記生成手段と前記検出手段との間に設けられることを特徴とする請求項２に記載のランドプリピット検出装置。
【請求項５】
前記フィルタ手段は、
所定のカットオフ周波数を有するローパスフィルタであることを特徴とする請求項１に記載のランドプリピット検出装置。
【請求項６】
記録トラックとランドプリピットが予め形成された記録媒体に、記録信号に応じた光ビームを照射する照射ステップと、
前記記録トラックの方向に対応する分割線で少なくとも領域分割された受光素子を用いて前記記録媒体に照射された光ビームの反射光を受光する受光ステップと、
前記第１及び第２の受光素子の各出力に基づいてラジアルプッシュプル信号を生成するプッシュプル信号生成ステップと、
前記ラジアルプッシュプル信号を所定の基準値と比較して、前記記録トラックにマーク部を形成する光ビームを照射する間の前記ランドプリピットを検出する検出ステップと、
を備えるランドプリピット検出方法において、
前記検出ステップより前に、前記記録信号の変化に伴い発生するインパルス成分をフィルタ処理によって減衰させるインパルス成分減衰ステップを備えることを特徴とするランドプリピット検出方法。
【発明の詳細な説明】
【０００１】
【発明の属する技術分野】
本発明は、記録トラックとランドプリピットが予め形成された記録媒体より、ランドプリピットを検出するランドプリピット検出装置および方法に関する。
【０００２】
【従来の技術】
レーザビームは、その波長が１つ（単色）で非常に安定しており、位相が揃っているという特性を持っている。このようなレーザビームを、凹凸がある反射面に当てると、凹凸に応じて反射光の強さが大きく変化する。この特性を利用して、ピットと呼ばれる凹凸を反射面上に作りこみ情報を記憶する記憶媒体として、レーザーディスク、コンパクトディスク、ＤＶＤ（Ｄｉｇｉｔａｌ  Ｖｅｒｓａｔｉｌｅ  Ｄｉｓｋ）などがある。
【０００３】
直径３０センチのレーザーディスクを小型化にする目的でＤＶＤの開発が始められたが、レーザーディスクと同等の画質と収録時間を維持してコンパクトディスクと同じサイズまで小型化すると、ＤＶＤを大容量のデジタルメモリにも流用することが可能となる。現在、コンピュータ用途を目的としたＤＶＤ−ＲＡＭ（Ｄｉｇｉｔａｌ  Ｖｅｒｓａｔｉｌｅ  Ｄｉｓｋ  Ｒａｎｄｏｍ  Ａｃｃｅｓｓ  Ｍｅｍｏｒｙ）、オーディオビジュアル用途を目的としたＤＶＤ−ＲＷ（Ｄｉｇｉｔａｌ  Ｖｅｒｓａｔｉｌｅ  Ｄｉｓｋ  Ｒｅ−ｒｅｃｏｒｄａｂｌｅ）、ＤＶＤ−Ｒ（Ｄｉｇｉｔａｌ  Ｖｅｒｓａｔｉｌｅ  Ｄｉｓｋ  Ｒｅｃｏｒｄａｂｌｅ）、ＤＶＤ＋ＲＷ、ＤＶＤ＋Ｒなどがあり、これらは用途によりフォーマットが異なっている。
【０００４】
ＤＶＤ−ＲおよびＤＶＤ−ＲＷのプリフォーマット方式は、ウォブルグルーブとランドプリピットである。ＤＶＤ−ＲおよびＤＶＤ−ＲＷの記録媒体には、光ビームの案内溝であるグルーブが形成されており、このグルーブに情報を記録する。グルーブに一定の周期でうねりをもたせたウォブルを形成するとともに、グルーブ間のランドの所定の位置にランドプリピットが形成されている。また、グルーブを局所的に変化させてプリピットを形成させたものもある。ＤＶＤ−ＲおよびＤＶＤ−ＲＷでは、ウォブルとランドプリピットによって記録時のトラックのアドレス情報を表している。また、ランドプリピットは、記録時の記録用クロックの位相制御にも用いられる。そのため、ＤＶＤ−ＲおよびＤＶＤ−ＲＷの記録再生装置には、記録媒体からランドプリピットを検出するためのランドプリピット検出装置が内蔵されている。
【０００５】
ＤＶＤ−ＲおよびＤＶＤ−ＲＷの記録には、一般的に、光ビームの変調にマルチパルス変調が用いられる。ＤＶＤ−Ｒの場合は、記録パワーと記録パワーよりもパワーの低い再生パワーの２種類の異なるパワーの光ビームを用いる。この光ビームをグルーブだけでなく、その一部がランドにも照射されるように設定しておき、照射された光ビームの反射光を４分割ディテクタを用いて受光して、これら４つの受光信号うちの２つを加算して２つの受光信号を生成する。そして、生成した２つの受光信号の差分であるラジアルプッシュプル信号を所定のレベルと比較することでランドプリピットを検出する。
【０００６】
このようなプッシュプル信号を用いた場合、２つの受光信号の差分を求める回路の応答性により、トランジェント成分である不要なノイズが発生する。特に、パワーの低い再生パワーを用いるスペース期間においては、ノイズの成分がランドプリピットと同等のレベルとなり、ノイズをランドプリピットと誤検出してしまうという問題があった。
【０００７】
このような問題を改善するために、特許文献１においては、記録中におけるマーク期間では、２つの受光信号をサンプルホールドせずに減算して第１のプッシュプル信号を生成して、これに基づいてプリピットを検出するとともに、検出結果に対しノイズの発生する区間にマスクをかけることで誤検出を防止ししている。一方、スペース期間では、ノイズの発生する区間を避けるようにスペース期間よりも短く設定したゲート区間でのみラジアルプッシュプル信号を通過させ、ゲート区間以外の区間は、ラジアルプッシュプル信号をホールドするように制御して第２のプッシュプル信号を生成して、これに基づいてプリピットを検出することによりノイズの影響に起因するランドプリピットの誤検出を防止するようにしている。
【０００８】
【特許文献１】
特開２００２−３０４７３３号公報
【０００９】
【発明が解決しようとする課題】
上記従来技術のように、マーク／スペースの切替タイミングの前後の区間をマスクしてノイズの影響を無くす手法では、ゲート区間を生成するための信号の時間管理、時間制御が必須となる。このような信号の時間管理は、１倍速などの低速記録時には比較的容易である。しかし、たとえば、４倍速、８倍速といった高速記録時には、マーク期間およびスペース期間が短くなるが、ノイズ区間は回路応答によるのでほぼ一定か却って増加する。このため、プッシュプル信号にノイズの占める時間割合が増加するので、マスクされない期間が殆ど消失してしまう。結果として、上記第１、第２のプッシュプル信号の有効信号区間が極端に減少するので、ランドプリピット検出が事実上不可能になる問題があった。さらに、マスク期間のタイミング制御が煩雑でシビアになるため実現は困難になるという問題もあった。
【００１０】
また、上記第１のプッシュプル信号には、マーク形成初期のインパルス成分が含まれるため、ランドプリピット検出のためのレベル設定が困難であるという問題もあった。
【００１１】
本発明は、上記に鑑みて成されたものであって、その課題の一例は高速記録時において、記録信号の変化に伴い発生するノイズとマーク形成初期のインパルス成分の影響を受けることなく、ランドプリピット信号を正確に抽出することが可能なランドプリピット検出装置および方法を提供することを目的とする。
【００１２】
【課題を解決するための手段】
請求項１にかかる発明は、記録トラックとランドプリピットが予め形成された記録媒体に、記録信号に応じた光ビームを照射して前記ランドプリピットを検出するランドプリピット検出装置において、前記記録トラックの方向に対応する分割線で少なくとも領域分割され、前記記録媒体に照射された光ビームの反射光を受光する第１および第２の受光素子と、前記第１および第２の振幅制御手段の出力に基づいてラジアルプッシュプル信号を生成する演算手段と、前記ラジアルプッシュプル信号を所定の基準値と比較して、マーク部に対応するパワーを照射した時の前記ランドプリピットを検出する検出手段と、を備えるとともに、前記第１および第２の受光素子と前記検出手段との間に、前記記録信号の変化に伴い発生するマーク形成初期のインパルス成分を減衰させるフィルタ手段を備えることを特徴とする。
【００１３】
請求項５にかかる発明は、記録トラックとランドプリピットが予め形成された記録媒体に、記録信号に応じた光ビームを照射する照射ステップと、前記記録トラックの方向に対応する分割線で少なくとも領域分割された受光素子を用いて前記記録媒体に照射された光ビームの反射光を受光する受光ステップと、振幅制御後の各出力に基づいてラジアルプッシュプル信号を生成するプッシュプル信号生成ステップと、前記ラジアルプッシュプル信号を所定の基準値と比較して、マーク部に対応するパワーを照射した時の前記ランドプリピットを検出する検出ステップとを備えるランドプリピット検出方法において、前記検出ステップより前に、前記記録信号の変化に伴い発生するマーク形成初期のインパルス成分をフィルタ処理によって減衰させるインパルス成分減衰ステップを備えることを特徴とする。
【００１４】
【発明の実施の形態】
以下に添付図面を参照して、本発明にかかるランドプリピット検出装置の好適な実施の形態を詳細に説明する。
［概要および特徴］
図１〜図３を用いて、この発明におけるランドプリピット検出装置の概要および特徴を説明する。
【００１５】
本実施の形態においては、４倍速、８倍速、１６倍速などの高速記録処理を対象としており、受光信号レベルが小さいスペース部のランドプリピットは無視し、マーク部のランドプリピットのみを検出することを前提としている。マーク部の受光信号レベルは、回路の応答により発生するノイズに対して十分大きいために、ノイズによるプリピットの誤検出は考慮不要となる。つまり、従来のような時間管理による回路によってノイズの影響を排除することは不要となるので、高速記録時の回路実現が容易で確実なものとなる。また、フィルタ処理によってマーク形成初期のインパルス成分を減衰させるようにしている。したがって、本実施の形態によれば、高速記録時において、マーク形成初期のインパルス成分の影響を受けることなく、マーク部のランドプリピット信号を正確に検出することが可能となる。この検出されたランドプリピットによって、高速記録時における同期記録動作を確実に行うことが可能となる。同期記録とは、シンクフレームの同期パターンにランドプリピットを一致させるように記録する方式である。
なお、マーク期間もしくはスペース期間のどちらかにランドプリピットを検出することができれば、同期記録動作が可能であることは、例えば、特開２００２−２１６３５５号公報などによって公知である。
【００１６】
図１（ａ）は、ＤＶＤ−Ｒの高速記録時に採用されるライトストラテジの一例を示している。図１（ａ）において、縦軸は光ビームの振幅を、横軸は時間を示しており、Ｐｗはマーク期間に対応する記録パワーであり、Ｐｒはスペース期間に対応する再生パワーである。低速記録時には、一般的にマルチパルス変調が用いられるが、高速記録時には、図１（ａ）の２発目または３発目のストラテジ波形で示すような略Ｍ字形状を有するノンマルチパルス変調が用いられる。
【００１７】
図１（ａ）における１発目または４発目の波形で示すような、３Ｔ，４Ｔ（Ｔは記録情報を記録する際の記録フォーマットにより規定されるビット間隔に対応する単位長さである１チャネルクロックの周期）の記録の際には、通常の矩形の単一パルスを出力する。一方、２発目または３発目のストラテジ波形で示すような５Ｔ〜１１Ｔおよび１４Ｔの記録の際には、中間部分で記録パワーＰｗより少し低いパワーとし、パルスの立ち上がりおよび立下り時に記録パワーＰｗとしたストラテジ波形が採用される。
【００１８】
図１（ｂ）は、図１（ａ）に示したライトストラテジ信号によって強度変調されたレーザビームの記録媒体からの反射光を４分割ディテクタで受光して、これら４つの受光信号のうちの２つを加算して生成した信号ＬＡＤ１を示している。具体的には、図２に示すように、４分割ディテクタ１０は、記録媒体上に形成されたグルーブ１０２およびランド１０３の一部に照射された光ビームＢＭの反射光をディスク径方向及びトラック方向に対応する分割線で分割された４つの領域Ａ〜Ｄで受光する。図１（ｂ）は、領域Ａの受光信号と領域Ｄの受光信号とを加算した信号ＬＡＤ１を示している。
【００１９】
図１（ｂ）に示すように、信号ＬＡＤ１には、図１（ａ）に示したライトストラテジの立ち上がり（マーク形成初期）に、色素系ディスクの記録時に特有なインパルス形状のインパルス成分ＴＲが発生している。インパルス成分ＴＲの後には、ほぼ一定のレベルとなる。このインパルス成分ＴＲの形状は、記録速度によって異なり、記録媒体の違いによっても若干異なる。しかし、インパルス成分ＴＲの形状は、同一記録媒体への記録時には、記録するマークの長さに依存することなくほぼ一定の形状であり、インパルス成分ＴＲの後のレベルは、マーク形成終了までほぼ一定となる。
【００２０】
この特性は、４つの領域Ａ〜Ｄのうちの領域Ｂの受光信号と領域Ｃの受光信号とを加算した信号でも同様となる。
【００２１】
このようなインパルス成分ＴＲを含む信号は、特定の特性を有するフィルタを通過させると、そのインパルス成分ＴＲのみを一様にほぼ平坦化させることができる。（特性については後述する。）フィルタ通過後の信号を図１（ｃ）に示す。図１（ｃ）に示すように、フィルタ通過後の信号ではマーク部初期の波形形状は極端に鈍ることなく、元の信号とほぼ同等になり、マーク部全体を平坦化できる。また、インパルス成分ＴＲの形状は、同一媒体への記録時には、記録するマークの長さによらずほぼ一定の形状となるため、全てのマーク部を等しく平坦化できることになる。
【００２２】
図３は、ランド１０３に形成されているランドプリピット１０４の位置にマークを記録する際の信号ＬＡＤ１を示している。この場合は、シンクフレームの同期パターンＳＹとしての１４Ｔのマークを記録する場合を示している。ランドプリピット１０４の位置にマークを記録する際の信号ＬＡＤ１には、ランドプリピット１０４による受光成分が含まれており、インパルス成分ＴＲの後のレベルが一定ではなく、その中央部分においてレベルが大きくなる部分が存在している。マークにランドプリピットが隣接していないときには、インパルス成分ＴＲの後のレベルがマーク形成終了までほぼ一定のレベルで安定する。
マーク部にかかったランドプリピット信号はレベルが大きく、上記のようなフィルタを通過させてもその成分はフィルタ通過後の信号に残る。
【００２３】
結局、インパルス成分ＴＲを平坦化する特性を有するフィルタを用いて、ラジアルプッシュプル信号を生成した場合でも、このラジアルプッシュプル信号からマーク形成時のランドプリピットを検出することが可能となる。この時、インパルス成分ＴＲは平坦化されているので、ランドプリピットの誤検出が防止できることになる。
【００２４】
［実施例１］
図４〜図１０を用いてこの発明における実施例１を説明する。以下の実施例は、情報を記録すべき記録媒体上の位置を示すアドレス情報や、記録再生動作に用いるクロック信号を生成するための基準信号が、ランドプリピットとして形成されている記録媒体（以下ディスクという）としてのＤＶＤ−Ｒ等から、ランドプリピットを検出するランドプリピット検出装置について示している。
【００２５】
まず、図４を用いて実施例１のディスクの物理的構造について説明する。図４は、実施例１のディスク５６の断面斜視図である。ディスク５６は色素膜１０５を備えた一回のみ情報の書込みが可能な色素系ディスクであり、ディスク５６には記録情報が記録されるべき情報トラックとしてのグルーブ１０２と、グルーブ１０２に再生パワーまたは記録パワーを有するレーザビーム等の光ビームＢＭを誘導するためのガイドトラックとしてのランド１０３とが形成されている。ランド１０３には、ランドプリピット１０４が形成されている。ランドプリピット１０４は、グルーブ１０２の接線方向に対して垂直に交わる直線上に、グルーブ１０２を挟んで対向することがないように形成される。また、それらを保護するための保護膜および記録された情報を再生する際に光ビームＢＭを反射するための反射膜１０６を備えている。
【００２６】
さらに、ディスク５６においては、グルーブ１０２をディスク５６の回転速度の基準となる周波数でウォブリングさせている。そして、ディスク５６に記録情報（プリ情報及び同期信号以外の本来記録すべき画像情報などの情報）を記録する際には、グルーブ１０２のウォブリングの周波数を検出することにより同期信号を取得してディスク５６を所定の回転速度で回転制御するとともに、ランドプリピット１０４を検出することにより予めプリ情報を取得し、このプリ情報から記録情報を記録すべきディスク５６上の位置であるアドレス情報などを取得し、このアドレス情報に基づいて記録情報を対応する記録位置に記録する。
【００２７】
ここで、記録情報の記録時には、光ビームＢＭをその中心がグルーブ１０２の中心と一致するように照射してグルーブ１０２上に記録情報に対応する記録情報ピット（マーク部）を形成することにより記録情報を形成する。このとき、光スポットの大きさは、図４に示すように、その一部がグルーブ１０２だけでなくランド１０３にも照射されるように設定される。そして、このランド１０３に照射された光スポットの一部の反射光を用いてプッシュプル法によりランドプリピット１０４からプリ情報を検出してプリ情報が取得されるとともに、グルーブ１０２に照射されている光スポットの反射光を用いてグルーブ１０２からウォブリング信号が検出されて回転制御用のクロック信号が取得される。
【００２８】
つぎに、図４に示したディスク５６に予め記憶されているプリ情報および回転制御情報の記録フォーマットについて図５を用いて説明する。図５はディスク５６に予め記録されているプリ情報及び回転制御情報の記録フォーマットを示す模式図である。なお、図５において、上段は記録情報における記録フォーマットを示し、下段の波型波形は記録情報を記録するグルーブのウォブリング状態（グルーブ１０２の平面図）を示し、記録情報とグルーブ１０２のウォブリング状態の間の上向き矢印は、ランドプリピット１０４が形成される位置を模式的に示すものである。すなわち、グルーブ１０２のウォブリングにおける最大振幅の位置にランドプリピット１０４が形成されている。ここで、図５においては、グルーブ１０２のウォブリング状態は、理解の容易のため実際の振幅よりも大きい振幅を用いて示してあり、記録情報はグルーブ１０２の中心線上に記録される。
【００２９】
図５に示すように、ディスク５６に記録される記録情報は、予めシンクフレーム毎に分割されている。そして、２６個のシンクフレームにより情報単位としての一つのレコーディングセクタが形成され、さらに、１６個のレコーディングセクタにより情報ブロックとしての一つのＥＣＣブロックが形成される。なお、一つのシンクフレームは、記録情報を記録する際の記録フォーマットにより規定されるビット間隔に対応する単位長さである１チャネルクロックの周期の１４８８倍（１４８８Ｔ）の長さを有しており、さらに、一つのシンクフレームの先頭の１４Ｔの長さの部分にはシンクフレームごとの同期をとるための同期パターンＳＹが記録される。
【００３０】
一方、ディスク５６に記録されるプリ情報は、シンクフレームごとに記録される。ここで、ランドプリピット１０４によるプリ情報の記録においては、記録情報におけるそれぞれのシンクフレームにおける同期パターンＳＹが記録される領域に隣接するランド１０３上にプリ情報における同期信号を示すものとして必ず一つのランドプリピット１０４が形成されるとともに、同期パターンＳＹ以外のシンクフレーム内の前半部分に隣接するランド１０３に、記録するべきプリ情報の内容（アドレス情報）を示すものとして二つまたは一つのランドプリピット１０４が形成される。なお、同期パターンＳＹ以外のシンクフレーム内の前半部分については、記録すべきプリ情報の内容によっては、ランドプリピット１０４が形成されない場合もある。この際、一つのレコーディングセクタにおいては、偶数番目のシンクフレーム（以下「ＥＶＥＮフレーム」という）のみ、または奇数番目のシンクフレーム（以下「ＯＤＤフレーム」という）のみにランドプリピット１０４が形成されてプリ情報が記録される。すなわち、図５において、ＥＶＥＮフレームにランドプリピット１０４が形成された場合には（図５において実線上向き矢印で示す）それに隣接するＯＤＤフレームにはランドプリピット１０４は形成されない。
【００３１】
つぎに、この発明における実施例１のランドプリピット検出装置が適用される記録再生装置の構成について説明する。図６は、この発明における実施例１のランドプリピット検出装置が適用されるディスク５６の記録再生装置のランドプリピット検出装置に関わる部分の概略構成を示すブロック図である。この記録再生装置は、ディスク５６、ピックアップ５１、ランドプリピット検出装置５２、ストラテジ生成回路５３、８／１６変調部５４およびデータエンコーダ５５を備えている。
【００３２】
データエンコーダ５５は、外部から入力される記録情報をエンコードする。８／１６変調部５４は、記録用クロックに基づいてエンコードされた記録情報を８／１６変調して、ＮＲＺＩ（Ｎｏｎ  Ｒｅｔｕｒｎ  ｔｏ  Ｚｅｒｏ  Ｉｎｖｅｒｔ）信号Ｓｅｃを生成し、生成したＮＲＺＩ信号Ｓｅｃをストラテジ生成回路５３に出力する。ストラテジ生成回路５３は、記録用クロック信号に基づいてＮＲＺＩ信号Ｓｅｃに対してディスク５６に形成する記録ビットの形状を調整するための波形変換を施して、ライトストラテジ信号Ｓｒｒを生成する。
【００３３】
ピックアップ５１は、ライトストラテジ信号Ｓｒｒにより光ビームを強度変調し、強度変調した光ビームを、記録データに対応するピットを形成すべきグルーブ１０２上に照射して、ディスク５６に記録すべきデータを記録する。また、ピックアップ５１は、図２に示した受光素子である４分割ディテクタ１０を有し、この４分割ディテクタ１０によって光ビームＢＭのディスク５６からの反射光を受光する。４分割ディテクタ１０からは、ディスク５６の径方向およびトラック方向に４分割した領域Ａ〜Ｄのそれぞれの受光信号ＬＡ，ＬＢ，ＬＣ，ＬＤが出力される。
【００３４】
ランドプリピット検出装置５２は、４分割ディテクタ１０から入力される受光信号ＬＡ，ＬＢ，ＬＣ，ＬＤに基づいてランドプリピットを検出する。図７は、図６に示したランドプリピット検出装置５２の内部構成を示すブロック図である。ランドプリピット検出装置５２は、２つの加算器２０ａ，２０ｂ、フィルタ手段であるフィルタ３０ａ，３０ｂ、第１および第２の振幅制御手段であるＡＧＣ（Ａｕｔｏｍａｔｉｃ  Ｇａｉｎ  Ｃｏｎｔｒｏｌ）回路４０ａ，４０ｂ、演算手段である減算器５０および検出手段であるコンパレータ６０を備えている。
【００３５】
加算器２０ａは、受光信号ＬＡと受光信号ＬＤとを加算して、信号ＬＡＤ１を生成する。加算器２０ｂは、受光信号ＬＢと受光信号ＬＣとを加算して、信号ＬＢＣ１を生成する。
【００３６】
フィルタ３０ａは、信号ＬＡＤ１のインパルス成分を減衰させて、信号ＬＡＤ２を生成する。フィルタ３０ｂは、信号ＬＢＣ１のインパルス成分を減衰させて、信号ＬＢＣ２を生成する。フィルタ３０ａおよびフィルタ３０ｂは、同一のフィルタ特性を有している。
【００３７】
図８は、図７に示したフィルタ３０ａのフィルタ特性の一例を示す図である。フィルタ３０ａは、図８に示すように、カットオフ周波数が１／２０Ｔで、減衰傾度が−６ｄＢ／ｏｃｔの１次ローパスフィルタによって信号ＬＡＤ１中のインパルス成分を減衰させるとともに、カットオフ周波数がｆＬのハイパスフィルタによって信号ＬＡＤ１中のディスクの偏心成分の変動を除去する。記録速度が１倍速の場合ハイパスフィルタのカットオフ周波数ｆＬは概ね２０ｋＨｚ、ローパスフィルタのカットオフ周波数は概ね１．３５ＭＨｚであり、記録速度が８倍速の場合ハイパスフィルタのカットオフ周波数ｆＬは概ね８０ｋＨｚ、ローパスフィルタのカットオフ周波数１／２０Ｔは概ね１０．８ＭＨｚとなる。
【００３８】
ＡＧＣ回路４０ａは、信号ＬＡＤ２の振幅を所定の基準値に補正して信号ＷＡＤを生成する。図９は、図７に示したＡＧＣ回路４０ａの構成を示すブロック図である。ＡＧＣ回路４０ａは、ゲインコントロールアンプ４１、振幅検出器４２、ローパスフィルタ４３、減算器４４および積分器４５を備えている。
【００３９】
ゲインコントロールアンプ４１は、積分器４５から入力されるゲインコントロール信号に基づいて信号ＬＡＤ２の振幅を補正した信号ＷＡＤを生成する。
【００４０】
振幅検出器４２は信号ＷＡＤの振幅をピークホールドとボトムホールドによって検出する。ローパスフィルタ４３は、振幅検出器４２が検出した振幅の高周波成分を除去する。減算器４４は、所定の基準値レベルを高周波成分除去後の振幅から減算してゲインコントロール信号を生成する。
【００４１】
積分器４５は、ゲインコントロール信号を積分して、ゲインコントロールアンプ４１に出力するゲインコントロール信号の時間調整を行う。すなわち、積分器４５は、ＡＧＣ回路４０ａの応答速度を調整する。
【００４２】
ＡＧＣ回路４０ｂは、信号ＬＢＣ２の振幅を所定の基準値に補正して信号ＷＢＣを生成する。ＡＧＣ回路４０ｂの構成は、減算器４４で比較する所定の基準値レベルが異なる以外は、図９に示したＡＧＣ回路４０ａと同様のものとなるので、ここではその説明を省略する。
【００４３】
図７において、減算器５０は、信号ＷＢＣを信号ＷＡＤから減算して、ラジアルプッシュプル信号ＷＰＰを生成する。コンパレータ６０は、ランドプリピットを検出するための所定の基準値である基準レベルＶＴとラジアルプッシュプル信号ＷＰＰとを比較する。比較の結果、ラジアルプッシュプル信号ＷＰＰの信号レベルが基準レベルＶＴ以上の場合には、ランドプリピットを検出したことを示す信号をランドプリピット検出信号ＷＬＰＰに出力し、ラジアルプッシュプル信号ＷＰＰの信号レベルが基準レベルＶＴより小さい場合には、ランドプリピットが検出されなかったことを示す信号をランドプリピット検出信号ＷＬＰＰを出力する。コンパレータ６０は、たとえば、ランドプリピットが検出された場合にはランドプリピット検出信号ＷＬＰＰを”Ｈ”に、ランドプリピットが検出されなかった場合にはランドプリピット検出信号ＷＬＰＰを”Ｌ”にする。
【００４４】
つぎに、図１０を参照して、この発明における実施例１のランドプリピット検出装置の動作を説明する。
【００４５】
ピックアップ５１は、たとえば、図１０（ａ）に示すライトストラテジ信号Ｓｒｒにより光ビームを強度変調し、強度変調した光ビームＢＭを、記録データに対応するピットを形成すべきグルーブ１０２上に照射して、ディスク５６に記録すべきデータを記録する。なお、図１０（ａ）に示したライトストラテジ信号Ｓｒｒは、ノンマルチパルス変調によるものであるが、ここでは、簡易化のために、略Ｍ字形状を有する５Ｔ〜１１Ｔおよび１４Ｔ記録の際のストラテジ波形も矩形パルスで表している。
【００４６】
一方、ピックアップ５１内の４分割ディテクタ１０は、図１０（ａ）に示したライトストラテジ信号Ｓｒｒにより強度変調された光ビームＢＭの反射光を受光して、領域Ａの受光信号ＬＡおよび領域Ｄの受光信号ＬＤを加算器２０ａに、領域Ｂの受光信号ＬＢおよび領域Ｃの受光信号ＬＣを加算器２０ｂに、それぞれ出力する。
【００４７】
加算器２０ａは、受光信号ＬＡと受光信号ＬＤとを加算して、信号ＬＡＤ１を生成する。図１０（ｂ）は、加算器２０ａが生成した信号ＬＡＤ１を示している。信号ＬＡＤ１には、図１０（ａ）に示したライトストラテジ信号Ｓｒｒの立ち上がり時点（マーク形成初期）で、大きなインパルス成分ＴＲが発生している。加算器２０ａは、信号ＬＡＤ１をフィルタ３０ａに出力する。
【００４８】
加算器２０ｂは、受光信号ＬＢと受光信号ＬＣとを加算して、信号ＬＢＣ１を生成する。図１０（ｅ）は、加算器２０ｂが生成した信号ＬＢＣ１を示している。信号ＬＢＣ１には、図１０（ｂ）に示した信号ＬＡＤ１と同様に、図１０（ａ）に示したライトストラテジ信号Ｓｒｒの立ち上がり時点で、大きなインパルス成分ＴＲが発生している。加算器２０ａは、信号ＬＡＤ１をフィルタ３０ａに出力する。フィルタ３０ａは、信号ＬＡＤ１中のｆＬ［Ｈｚ］以下の成分および１／２０Ｔ［Ｈｚ］以上の成分を除去して、信号ＬＡＤ２を生成する。図１０（ｃ）は、フィルタ３０ａが、図１０（ｂ）に示した信号ＬＡＤ１中のｆＬ［Ｈｚ］以下の成分および１／２０Ｔ［Ｈｚ］以上の成分を除去した信号ＬＡＤ２を示している。信号ＬＡＤ２は、図１０（ｃ）に示すように、信号ＬＡＤ１中のインパルス成分ＴＲが除去されている。フィルタ３０ａは、信号ＬＡＤ２をＡＧＣ回路４０ａのゲインコントロールアンプ４１に出力する。
【００４９】
フィルタ３０ｂは、信号ＬＢＣ１中のｆＬ［Ｈｚ］以下の成分および１／２０Ｔ［Ｈｚ］以上の成分を除去して、信号ＬＢＣ２を生成する。図１０（ｆ）は、フィルタ３０ｂが、図１０（ｅ）に示した信号ＬＢＣ１中のｆＬ［Ｈｚ］以下の周波数成分および１／２０Ｔ［Ｈｚ］以上の高周波成分を除去した信号ＬＡＤ２を示している。信号ＬＡＤ２は、図１０（ｆ）に示すように、信号ＬＢＣ１中のインパルス成分ＴＲが除去されている。フィルタ３０ｂは、信号ＬＢＣ２をＡＧＣ回路４０ｂのゲインコントロールアンプ４１に出力する。
【００５０】
ＡＧＣ回路４０ａのゲインコントロールアンプ４１は、ＡＧＣ回路４０ａの積分器４５から入力されるゲインコントロール信号に基づいて信号ＬＡＤ２の振幅を補正して、信号ＷＡＤを生成する。そして、信号ＷＡＤをＡＧＣ回路４０ａの振幅検出器４２と減算器５０とに出力する。
【００５１】
ＡＧＣ回路４０ａの振幅検出器４２は、信号ＷＡＤの振幅をピークホールドとボトムホールドによって検出して、検出した振幅をＡＧＣ回路４０ａのローパスフィルタ４３に出力する。ＡＧＣ回路４０ａのローパスフィルタ４３は、ＡＧＣ回路４０ａの振幅検出器４２が検出した振幅の高周波成分を除去して、高周波成分除去後の振幅をＡＧＣ回路４０ａの減算器４４に出力する。
【００５２】
ＡＧＣ回路４０ａの減算器４４は、所定の基準値レベルを高周波成分除去後の振幅から減算してゲインコントロール信号を生成する。そして、生成したゲインコントロール信号をＡＧＣ回路４０ａの積分器４５に出力する。ＡＧＣ回路４０ａの積分器４５は、ゲインコントロール信号を積分してゲインコントロール信号の時間調整をおこない、ＡＧＣ回路４０ａのゲインコントロールアンプ４１に出力する。
【００５３】
図１０（ｄ）は、ＡＧＣ回路４０ａにおいて振幅補正が施された信号ＷＡＤを示している。図１０（ｄ）に示すように、信号ＬＡＤ２の振幅が補正されている。
【００５４】
ＡＧＣ回路４０ｂは、信号ＬＡＤ２の振幅を所定の基準値に補正して信号ＷＢＣを生成する。ＡＧＣ回路４０ｂ内部の動作については、上述したＡＧＣ回路４０ａと同様の動作となるので、ここではその説明を省略する。図１０（ｇ）は、ＡＧＣ回路４０ｂにおいて振幅補正が施された信号ＷＢＣを示している。図１０（ｇ）に示すように、信号ＬＢＣ２の振幅が補正され、図１０（ｄ）に示した信号ＷＡＤの振幅と等しくなる。その結果、光軸ずれによって生じたプッシュプル信号の元となる２信号ＬＡＤ１，ＬＢＣ２の振幅比が補正され、ほぼ同一振幅の補正後信号ＷＢＣ，ＷＡＤを得ることができる。
【００５５】
減算器５０は、信号ＷＢＣを信号ＷＡＤから減算してラジアルプッシュプル信号ＷＰＰを生成する。図１０（ｈ）は、ラジアルプッシュプル信号ＷＰＰを示している。フィルタ３０ａおよびフィルタ３０ｂによって、信号ＬＡＤ１および第２の信号ＬＢＣ２に含まれていたインパルス成分ＴＲが平坦化されているため、図１０（ｈ）に示したラジアルプッシュプル信号ＷＰＰは、ランドプリピット以外は、点線で示したウォブル信号の上側エンベローブより大きい不要成分が除去されている。減算器５０は、ラジアルプッシュプル信号ＷＰＰをコンパレータ６０に出力する。
【００５６】
コンパレータ６０は、ランドプリピットを検出するための所定の基準レベルＶＴとラジアルプッシュプル信号ＷＰＰとを比較する。比較の結果、ラジアルプッシュプル信号ＷＰＰの信号レベルが基準レベルＶＴ以上の場合には、ランドプリピットを検出したことを示すランドプリピット検出信号ＷＬＰＰを、ラジアルプッシュプル信号ＷＰＰの信号レベルが基準レベルＶＴより小さい場合には、ランドプリピットが検出されなかったことを示すランドプリピット検出信号ＷＬＰＰを図示していない記録クロック生成用のＬＰＰ用ＰＬＬ（Ｐｈａｓｅ  Ｌｏｃｋｅｄ  Ｌｏｏｐ）部に出力する。ＬＰＰ用ＰＬＬ部は、ランドプリピット検出信号ＷＬＰＰに基づいて、ディスク５６に情報を記録するための基準となる記録用クロックを生成する。
【００５７】
このようにこの実施例１では、フィルタ３０ａが信号ＬＡＤ１に含まれるインパルス成分ＴＲを除去した信号ＬＡＤ２を生成し、フィルタ３０ｂが信号ＬＢＣ１に含まれるインパルス成分ＴＲを除去した信号ＬＢＣ２を生成する。そして、インパルス成分ＴＲが除去された信号ＬＡＤ２および信号ＬＢＣ２を用いて生成したラジアルプッシュプル信号ＷＰＰからマーク期間におけるランドプリピットを検出しているので、４倍速、８倍速、１６倍速などの高速記録時においても正確にランドプリピットを検出することができる。
【００５８】
また、この実施例１では、ＡＧＣ回路４０ａ，４０ｂは、フィルタ３０ａ，３０ｂによってインパルス成分ＴＲが除去された信号ＬＡＤ２，ＬＢＣ２に対して振幅調整を行うようにしている。そのため、ＡＧＣ回路４０ａ，４０ｂ内の振幅検出器４２は、インパルス成分のない信号ＷＡＤ，ＷＢＣの振幅を検出すればよく、ピークホールドによって正確に振幅を検出することができるので、ＡＧＣ回路４０ａ，４０ｂの動作が安定し、正確な振幅制御を行うことができる。
【００５９】
なお、この実施例１では、フィルタ３０ａ，３０ｂは、図８に示したフィルタ特性を有するものとした。すなわち、インパルス成分を除去するローパスフィルタのカットオフ周波数を１／２０Ｔに設定した。そのため、図１０（ｈ）に示したようにマーク部は一様に平坦化され、ランドプリピット以外は、点線で示したウォブル信号の上側エンベローブより大きいノイズ成分が除去されたラジアルプッシュプル信号ＷＰＰを生成することができた。
【００６０】
つぎに、図１１および図１２を参照して、インパルス成分を除去するローパスフィルタのカットオフ周波数がマーク部を平坦化するために必要な値より高い場合、適切な場合、あるいは低い場合のラジアルプッシュプル信号ＷＰＰについて説明する。図１１は３種類の異なるカットオフ周波数が設定された場合のラジアルプッシュプル信号ＷＰＰを示している。図１２は、同期記録時（シンクフレームの同期パターンにランドプリピットを一致させるように記録した時）の同期パターン近傍のラジアルプッシュプル信号ＷＰＰをオシロスコープで観測した時の波形を模式的に示している。
【００６１】
（カットオフ周波数がマーク部を平坦化するために必要な値よりも高い場合）フィルタ３０ａおよびフィルタ３０ｂは、信号ＬＡＤ１および信号ＬＢＣ１のインパルス成分を十分に除去することができない。そのため、フィルタ３０ａおよびフィルタ３０ｂは、インパルス成分を含んだままの信号ＬＡＤ２および信号ＬＢＣ２をＡＧＣ回路４０ａおよびＡＧＣ回路４０ｂに出力する。したがって、インパルス成分を含んだまま信号ＷＡＤおよび信号ＷＢＣが生成される。そのため、ラジアルプッシュプル信号ＷＰＰは、図１１（ａ）に示すように、インパルス成分が残ったままとなってしまう。
【００６２】
また、このようなインパルス成分が残ったままのラジアルプッシュプル信号ＷＰＰをオシロスコープで観測すると、ランドプリピットが同期パターンの中心に位置している場合、図１２（ａ）に示すように、ランドプリピット以外にもパルス上のノイズが発生する。このノイズレベルがコンパレータ６０の基準レベルＶＴより高くなると、ノイズをランドプリピットとして誤検出してしまう。
【００６３】
また、インパルス成分が残ったままのラジアルプッシュプル信号ＷＰＰで、かつランドプリピットが同期パターンよりも前寄りに位置している場合、インパルス成分とランドプリピットの成分が乗算され、図１２（ｂ）に示すように、ラジアルプッシュプル信号ＷＰＰのランドプリピットの部分が極端に大きくなってしまう。このような場合は、コンパレータ６０の基準レベルＶＴの設定が難しくなる。
【００６４】
（カットオフ周波数が適正な場合）
インパルス成分を除去するローパスフィルタのカットオフ周波数が適切な値の場合、フィルタ３０ａおよびフィルタ３０ｂは、信号ＬＡＤ１および信号ＬＢＣ１のインパルス成分を平坦化する。したがって、ラジアルプッシュプル信号ＷＰＰは、図１１（ｂ）に示すように、ランドプリピット以外は、ウォブル信号の上側エンベローブより大きいノイズ成分が除去されている。このようなラジアルプッシュプル信号ＷＰＰをオシロスコープで観測すると、ランドプリピットが同期パターンの中心に位置している場合、図１２（ｃ）に示すように、ランドプリピット以外のノイズ成分は発生しない。したがって、コンパレータ６０において、正確にランドプリピットを検出することができる。
【００６５】
また、ウォブル信号の上側エンベローブより大きいインパルス成分が平坦化されているラジアルプッシュプル信号ＷＰＰで、かつランドプリピットが同期パターンよりも前寄りに位置している場合でも、図１２（ｄ）に示すように、インパルス成分による影響は低減されているので、ランドプリピットの部分が極端に大きくなることはない。したがって、この場合はコンパレータの基準レベルＶＴの設定が容易である。
【００６６】
（カットオフ周波数がマーク部を平坦化するために必要な値よりも低い場合）フィルタ３０ａおよびフィルタ３０ｂは、インパルス成分を過補正した信号ＬＡＤ２および信号ＬＢＣ２をＡＧＣ回路４０ａおよびＡＧＣ回路４０ｂに出力する。したがって、インパルス成分を過補正した信号ＷＡＤおよび信号ＷＢＣが生成される。そのため、ラジアルプッシュプル信号ＷＰＰは、図１１（ｃ）に示すように、マーク形成期間において、ウォブル信号の上側エンベローブに対して平坦ではなく右上がりとなってしまう。このようなラジアルプッシュプル信号ＷＰＰをオシロスコープで観測すると、ランドプリピットが同期パターンの中心に位置している場合、図１２（ｅ）に示すように、右上がりの波形２００が、ランドプリピットが存在しない部分に現れてしまう。そのため、コンパレータ６０が右上がりの波形２００をランドプリピットとして誤検出してしまう。
【００６７】
また、ウォブル信号の上側エンベローブに対して平坦ではなく右上がりとなるラジアルプッシュプル信号ＷＰＰで、かつランドプリピットが同期パターンよりも前寄りに位置している場合、図１２（ｆ）に示すように、ランドプリピットの部分が極端に小さくなってしまい、ランドプリピットとして検出することができなくなる。
【００６８】
なお、上記の実施例１では、ＡＧＣ回路４０ａ，４０ｂの前段にインパルス成分を平坦化するフィルタ３０ａ，３０ｂを備えているが、図１３に示すように、フィルタ３０ａ，３０ｂと同じフィルタ特性を有するフィルタ３１ａ〜３１ｄを、加算器２０ａ，２０ｂの前段に備えるようにしてもよい。すなわち、４分割ディテクタ１０から入力される４つの領域Ａ〜Ｄでそれぞれ受光した受光信号ＬＡ〜ＬＤのインパルス成分を除去する。これにより、加算器２０ａおよび加算器２０ｂは、インパルス成分が含まれない受光信号を加算することとなり、図１０（ｃ）および図１０（ｄ）に示した信号ＬＡＤ２および信号ＬＢＣ２と同様の信号をＡＧＣ回路４０ａ，４０ｂに出力することができる。したがって、この場合でも図７に示したランドプリピット検出装置５２と同様の効果を奏する。
【００６９】
［実施例２］
図１４および図１５を用いてこの発明における実施例２を説明する。実施例１では、ＡＧＣ回路４０ａ，４０ｂで振幅を調整する前にインパルス成分を除去した。しかし、インパルス成分を除去するフィルタ処理は、ラジアルプッシュプル信号とランドプリピットを検出するための所定の基準レベルとを比較するコンパレータ６０より前段側であれば任意の位置に挿入することができる。この実施例２では、インパルス成分を含んだままでラジアルプッシュプル信号を生成し、所定の基準レベルとの比較直前にインパルス成分を除去するものである。
【００７０】
図１４は、この発明における実施例２のランドプリピット検出装置の内部構成を示すブロック図である。実施例２のランドプリピット検出装置は、減算器５０とコンパレータ６０との間にフィルタ３０ｃを備え、ＡＧＣ回路４０ａ，４０ｂの代わりに他の内部構成を有するＡＧＣ回路４０ｃ，４０ｄを備えている。図７に示した実施例１のランドプリピット検出装置５２と同じ機能を持つ構成部分には同一符号を付し、重複する説明は省略する。
【００７１】
ＡＧＣ回路４０ｃは、信号ＬＡＤ１の振幅を所定の基準値に補正して信号ＷＡＤ１を生成する。図１５は、図１４に示したＡＧＣ回路４０ｃの内部構成を示すブロック図である。ＡＧＣ回路４０ｃは、図９に示したＡＧＣ回路４０ａの振幅検出器４２の前段にフィルタ部であるフィルタ４６が追加されている。図９に示したＡＧＣ回路４０ａと同じ機能を持つ構成部分には同一符号を付し、重複する説明は省略する。
【００７２】
図１０（ｂ）に示したように、信号ＬＡＤ１はインパルス成分ＴＲを含んでいる。したがって、信号ＬＡＤ１の振幅を補正した信号ＷＡＤ１もインパルス成分を含んでいる。インパルス成分はインパルス形状であるため、振幅検出器４２においてピークホールドにより信号ＷＡＤ１の正確な振幅を検出することができない。そのため、ゲインコントロールアンプ４１を制御するゲインコントロール信号が不安定となってしまい、信号ＬＡＤ１の振幅の補正を正確に行うことができない。そこで、振幅検出器４２の前段に図８に示したフィルタ特性を有するフィルタ４６を備え、信号ＷＡＤ１中のインパルス成分を除去する。これにより、振幅検出器４２には、実施例１の信号ＬＡＤ２と同等の信号が入力されることとなり、正確な振幅補正が可能となる。
【００７３】
ＡＧＣ回路４０ｄは、信号ＬＢＣ１の振幅を所定の基準値に補正して信号ＷＢＣ１を生成する。ＡＧＣ回路４０ｄの構成は、減算器４４で比較する所定の基準値レベルが異なる以外は、図１５に示したＡＧＣ回路４０ｃと同様のものとなるので、ここではその説明を省略する。
【００７４】
上述したように、信号ＷＡＤ１および信号ＷＢＣ１は、インパルス成分を含んでいる。したがって、減算器４０において信号ＷＢＣ１を信号ＷＡＤ１から減算して生成したラジアルプッシュプル信号ＷＰＰ１もインパルス成分を含んでいる。フィルタ３０ｃは、図８に示したフィルタ特性を有しており、ラジアルプッシュプル信号ＷＰＰ１のインパルス成分を除去する。これにより、ランドプリピット以外は、ウォブル信号の上側エンベローブより大きいインパルス成分が除去されたラジアルプッシュプル信号ＷＰＰ２が生成される。
【００７５】
つぎに、この発明における実施例２のランドプリピット検出装置の動作を説明する。加算器２０ａは、受光信号ＬＡと受光信号ＬＤとを加算して、信号ＬＡＤ１を生成する。そして、信号ＬＡＤ１をＡＧＣ回路４０ｃに出力する。
【００７６】
ＡＧＣ回路４０ｃのゲインコントロールアンプ４１はＡＧＣ回路４０ｃの積分器４５から入力されるゲインコントロール信号に基づいて信号ＬＡＤ１の振幅を補正して、信号ＷＡＤ１をＡＧＣ回路４０ｃのフィルタ４６と減算器５０とに出力する。
【００７７】
ＡＧＣ回路４０ｃのフィルタ４６は、信号ＷＡＤ１に含まれるインパルス成分を除去する。そして、インパルス成分除去後の信号ＷＡＤ１をＡＧＣ回路４０ｃの振幅検出器４２に出力する。
【００７８】
ＡＧＣ回路４０ｃの振幅検出器４２は、インパルス成分除去後の信号ＷＡＤ１の振幅をピークホールドとボトムホールドによって検出して、検出した振幅をＡＧＣ回路４０ｃのローパスフィルタ４３に出力する。ＡＧＣ回路４０ｃのローパスフィルタ４３は、ＡＧＣ回路４０ｃの振幅検出器４２が検出した振幅の高周波成分を除去して、高周波成分除去後の振幅をＡＧＣ回路４０ｃの減算器４４に出力する。
【００７９】
ＡＧＣ回路４０ｃの減算器４４は、所定の基準値レベルを高周波成分除去後の振幅から減算してゲインコントロール信号を生成して、ＡＧＣ回路４０ｃの積分器４５に出力する。ＡＧＣ回路４０ｃの積分器４５は、ゲインコントロール信号を積分してゲインコントロール信号の時間調整をおこない、ＡＧＣ回路４０ｃのゲインコントロールアンプ４１に出力する。結果として、ＡＧＣ回路４０ｃの出力信号ＷＡＤ１は、インパルス成分を含むが、振幅はインパルス成分を除去した信号振幅が基準レベルと概ね等しくなるように制御されたものとなる。
【００８０】
一方、加算器２０ａは、受光信号ＬＢと受光信号ＬＣとを加算して、信号ＬＢＣ１を生成する。そして、信号ＬＢＣ１をＡＧＣ回路４０ｄに出力する。
【００８１】
ＡＧＣ回路４０ｄは、信号ＬＢＣ１の振幅を所定の基準値に補正して信号ＷＢＣ１を生成する。ＡＧＣ回路４０ｄ内部の動作については、上述したＡＧＣ回路４０ｃと同様の動作となるので、ここではその説明を省略する。結果として、ＡＧＣ回路４０ｄの出力信号ＷＢＣ１は、インパルス成分を含むが、振幅はインパルス成分を除去した信号振幅が基準レベルと概ね等しくなるように制御されたものとなる。
【００８２】
減算器５０は、信号ＷＢＣ１を信号ＷＡＤ１から減算してラジアルプッシュプル信号ＷＰＰ１を生成する。そして、ラジアルプッシュプル信号ＷＰＰ１をフィルタ３０ｃに出力する。
【００８３】
フィルタ３０ｃは、ラジアルプッシュプル信号ＷＰＰ１のインパルス成分を平坦化して、ランドプリピット以外は、ウォブル信号の上側エンベローブより大きいノイズ成分が除去されたラジアルプッシュプル信号ＷＰＰ２を生成する。そして、ラジアルプッシュプル信号ＷＰＰ２をコンパレータ６０に出力する。
【００８４】
コンパレータ６０は、ランドプリピットを検出するための所定の基準値である基準レベルＶＴとラジアルプッシュプル信号ＷＰＰとを比較する。比較の結果、ラジアルプッシュプル信号ＷＰＰの信号レベルが基準レベルＶＴ以上の場合には、ランドプリピットを検出したことを示すランドプリピット検出信号ＷＬＰＰを、ラジアルプッシュプル信号ＷＰＰの信号レベルが基準レベルＶＴより小さい場合には、ランドプリピットが検出されなかったことを示すランドプリピット検出信号ＷＬＰＰを図示していない記録クロック生成用のＬＰＰ用ＰＬＬ部に出力する。
【００８５】
このようにこの実施例２では、フィルタ３０ｃが、ラジアルプッシュプル信号ＷＰＰ１中に含まれるインパルス成分を除去したラジアルプッシュプル信号ＷＰＰ２を生成する。そして、インパルス成分除去後のラジアルプッシュプル信号ＷＰＰ２からマーク期間におけるランドプリピットを検出しているので、４倍速、８倍速、１６倍速などの高速記録時においても正確にランドプリピットを検出することができる。
【００８６】
さらにＡＧＣ回路４０ｃ，４０ｄ内にそれぞれインパルス成分を除去するフィルタ４６を備えて、インパルス成分を除去した信号ＷＡＤ１および信号ＷＢＣ１の振幅を検出するようにしているため、インパルス成分の影響を受けることなく、正確な振幅制御を行うことができる。
【００８７】
［実施例３］
図１６〜図１９を参照してこの発明における実施例３を説明する。この実施例３では、インパルス成分を除去するフィルタの特性について説明する。
【００８８】
上述した実施例１および実施例２では、図８に示したように、カットオフ周波数が１／２０Ｔで、かつ減衰傾度が−６ｄＢ／ｏｃｔの１次ローパスフィルタによって信号ＬＡＤ１のインパルス成分を減衰させるとともに、カットオフ周波数ｆＬのハイパスフィルタによって信号ＬＡＤ１のディスクの偏心成分の変動を除去した。
【００８９】
この図８に示したフィルタに対し、さらに、図１６に示すような特性の２次ローパスフィルタを追加する。図１６に示すフィルタ特性では、伝送特性のファクタの１つであるＱ値を小さく設定し、カットオフ周波数をランドプリピットの基本周波数と概ね等しい１／１０Ｔとし、かつ減衰傾度が図８に示したフィルタ特性より急な−１２ｄＢ／ｏｃｔとしている。すなわち、インパルス成分を除去するためのフィルタに、さらにランドプリピットの基本周波数以上のノイズ成分を除去する２次フィルタを追加する。
【００９０】
図１７は、図８に示したフィルタに、図１６に示したフィルタを追加した総合フィルタ特性を示している。図１７に示したフィルタ特性では、Ｑ値を小さく設定し、カットオフ周波数が１／１０Ｔで、かつ減衰傾度が−１２ｄＢ／ｏｃｔの２次ローパスフィルタを追加したことにより、ランドプリピットの基本周波数と概ね等しい１／１０Ｔからの減衰傾度の勾配が１／１０Ｔより小さい周波数領域の減衰傾度よりも大きくなる。この場合は、減衰傾度が−６ｄＢ／ｏｃｔから−１８ｄＢ／ｏｃｔとなる。すなわち、インパルス成分を除去するとともに、ランドプリピット振幅を極端に減衰させることなく、かつランドプリピットの周波数以上のノイズ成分を除去したラジアルプッシュプル信号を生成することができる。このようなフィルタ特性を有するフィルタをインパルス成分を除去するためのフィルタとして用いることにより、不要なノイズによるランドプリピットの誤検出をより一層抑制することができる。
【００９１】
また、図１８に示すように、Ｑ値を大きく設定し、カットオフ周波数が１／１０Ｔで、かつ減衰傾度が−１２ｄＢ／ｏｃｔの２次ローパスフィルタを追加してもよい。図１８に示すフィルタ特性によれば、カットオフ周波数をランドプリピットの基本周波数と概ね等しい１／１０Ｔとし、かつＱ値を大きく設定しているため、ラジアルプッシュプル信号に含まれるランドプリピット成分は大きくなり、かつランドプリピット以上の周波数成分を除去することができる。
【００９２】
図１９は、図８に示したフィルタ特性に、図１８に示したフィルタ特性を追加したフィルタ特性を示している。図１９に示したフィルタ特性では、Ｑ値を大きく設定し、カットオフ周波数が１／１０Ｔで、かつ減衰傾度が−１２ｄＢ／ｏｃｔの２次ローパスフィルタを追加したことにより、ランドプリピットの基本周波数と概ね等しい１／１０Ｔからの減衰傾度の勾配が１／１０Ｔより小さい周波数領域の減衰傾度よりも大きくなるとともに、ランドプリピットの基本周波数と概ね等しい１／１０Ｔの振幅特性が増加している。これにより、インパルス成分を平坦化するとともに、ランドプリピット振幅が大きく、かつランドプリピット周波数以上のノイズ成分を除去したラジアルプッシュプル信号を生成することができる。このようなフィルタ特性を有するフィルタをインパルス成分を除去するためのフィルタとして用いることにより、ノイズ成分がすくなくなり、さらにランドプリピットが大きくなるため、ランドプリピットの検出マージンを大きくすることが可能となる。
【００９３】
以上、実施の形態について説明してきたが、本発明はこれらの例に限定されるものではなく、要旨の範囲内で各種変形例が考えられるものであり、もちろんディスク記録媒体はＤＶＤ−Ｒ、ＤＶＤ−ＲＷに限られるものではない。
【図面の簡単な説明】
【図１】この発明の実施の形態の概要を説明するために用いた波形図である。
【図２】記録媒体に照射された光ビームの反射光を受光する領域を説明するための図である。
【図３】ランドに形成されているランドプリピットの位置にマークを記録する際の受光信号を示す図である。
【図４】この発明における実施例１のディスクの断面斜視図である。
【図５】ディスクに予め記憶されているプリ情報および回転制御情報の記録フォーマットを示す模式図である。
【図６】この発明における実施例１のランドプリピット検出装置が適用されるディスクの記録再生装置の概略構成を示すブロック図である。
【図７】図６に示したランドプリピット検出装置の内部構成を示すブロック図である。
【図８】図７に示したフィルタのフィルタ特性の一例を示す図である。
【図９】図７に示したＡＧＣ回路の内部構成を示すブロック図である。
【図１０】この発明における実施例１のランドプリピット検出装置の動作を説明するための波形図である。
【図１１】フィルタ特性とラジアルプッシュプル信号の関係を説明するための図である。
【図１２】フィルタ特性とラジアルプッシュプル信号の関係などを説明するための図である。
【図１３】この発明における実施例１のランドプリピット検出装置の別の内部構成を示すブロック図である。
【図１４】この発明における実施例２のランドプリピット検出装置の内部構成を示すブロック図である。
【図１５】図１４に示したＡＧＣ回路の内部構成を示すブロック図である。
【図１６】フィルタの追加特性の一例を示す図である。
【図１７】図１６のフィルタ特性が追加されたフィルタ特性の一例を示す図である。
【図１８】フィルタの他の追加特性の一例を示す図である。
【図１９】図１８のフィルタ特性が追加されたフィルタ特性の一例を示す図である。
【符号の説明】
１０  ４分割ディテクタ
２０ａ，２０ｂ  加算器
３０ａ，３０ｂ，３０ｃ，３１ａ，３１ｂ，３０ｃ，３０ｄ，４６  フィルタ
４０ａ，４０ｂ，４０ｃ，４０ｄ  ＡＧＣ回路
５０  減算器
６０  コンパレータ
【図１】
2005063474.tif 000003
【図２】
2005063474.tif 000004
【図３】
2005063474.tif 000005
【図４】
2005063474.tif 000006
【図５】
2005063474.tif 000007
【図６】
2005063474.tif 000008
【図７】
2005063474.tif 000009
【図８】
2005063474.tif 000010
【図９】
2005063474.tif 000011
【図１０】
2005063474.tif 000012
【図１１】
2005063474.tif 000013
【図１２】
2005063474.tif 000014
【図１３】
2005063474.tif 000015
【図１４】
2005063474.tif 000016
【図１５】
2005063474.tif 000017
【図１６】
2005063474.tif 000018
【図１７】
2005063474.tif 000019
【図１８】
2005063474.tif 000020
【図１９】
2005063474.tif 000021